(57)【要約】【課題】  低コスト化が図られる移動体繰出装置の提供を課題とする。【解決手段】  従来、本体筒側の螺合機構と圧縮コイルバネとの間に、一組のラチェット歯を配置し、螺合機構側と圧縮コイルバネ側との分離を必要として、三部品（複数部品）を必要としていたものを、螺子筒８ａと本体筒１側のラチェット歯８ｅと弾性体８ｂとを一体成形品とした筒状体８を用いるようにしている。従って、部品点数が減少されると共に、成形、組立等の製造が簡易とされる。【選択図】  図１
2005230194.tif 000002
【特許請求の範囲】
【請求項１】
本体筒と、この本体筒内に配置され前記本体筒に同期回転可能に係合されると共にその内周面に雌螺子が形成された螺子筒と、その外周面に前記雌螺子に螺合する雄螺子が形成された棒状の移動体と、前記本体筒の後端側に相対回転可能に連結されると共に、前記移動体を同期回転可能且つ軸線方向に摺動可能に係合する係合部を備える操作筒と、本体筒側と操作筒側に各々設けられた一組のラチェット歯と、これらのラチェット歯同士が噛合するように付勢する弾性体と、を具備し、前記本体筒と前記操作筒の相対回転により前記移動体を順次繰り出す移動体繰出装置であって、
前記螺子筒と前記本体筒側のラチェット歯と前記弾性体とを、一体成形品とした筒状体を備えたことを特徴とする移動体繰出装置。
【請求項２】
前記一組のラチェット歯は、軸線方向に対向して配置され、
前記弾性体は、前記ラチェット歯同士が噛合するように付勢する圧縮バネであり、
前記筒状体は、樹脂による一体成形品であり、その先端部に前記螺子筒を有すると共に、その後端部に前記本体筒側のラチェット歯を有し、且つ、これらの先端部と後端部とを接続する前記圧縮バネを有して一体化され、その内側に前記移動体が通るようにして前記本体筒と前記操作筒に挟み付けられて配置されていることを特徴とする請求項１記載の移動体繰出装置。
【請求項３】
前記操作筒側のラチェット歯は、前記操作筒の先端面に設けられていることを特徴とする請求項１又は２記載の移動体繰出装置。
【請求項４】
前記操作筒の係合部は、前記操作筒の内周面に、放射状に内側に突出するように複数設けられ、
この操作筒の係合部の先端部が、前記操作筒側のラチェット歯とされていることを特徴とする請求項１又は２記載の移動体繰出装置。
【発明の詳細な説明】
【技術分野】
【０００１】
本発明は、本体筒と操作筒とを相対回転すると、これら筒内に配設される移動体が本体筒の先端に向かって順次繰り出されていく移動体繰出装置に関し、特に、内蔵される液状充填物を使用者が適宜押し出して使用するための液状充填物押出容器等に用いるのが好適な移動体繰出装置に関する。
【背景技術】
【０００２】
従来、本体筒と、この本体筒の後端部に相対回転自在に設けられ、その内周面に軸線方向に延びる回り止めを備える操作筒と、本体筒内に回転不能（同期回転可能）に係合されその内周面に雌螺子が形成されると共にその後端面にラチェット歯を備える第一の筒状体と、この第一の筒状体と操作筒の回り止めとの間に配置されその先端面に第一の筒状体のラチェット歯と噛合するラチェット歯を備え操作筒に回転不能に係合される第二の筒状体と、この第二の筒状体と操作筒の回り止めとの間に配置されラチェット歯同士が噛合するように第二の筒状体を第一の筒状体に向かって付勢する圧縮コイルバネと、第一、第二の筒状体、圧縮コイルバネを貫くように操作筒及び本体筒に収容され、第一の筒状体の雌螺子に螺合する雄螺子及び操作筒の回り止めと係合する回り止めが、その外周面に軸線方向に延びるように形成された移動体と、を具備し、使用者による本体筒と操作筒との相対回転により、移動体が先端側に順次繰り出される移動体繰出装置が知られている（例えば、特許文献１参照）。
【特許文献１】特開２０００−２６２３２４号公報
【発明の開示】
【発明が解決しようとする課題】
【０００３】
しかしながら、上記特開２０００−２６２３２４号公報に記載の装置にあっては、部品点数が比較的多いと共に、成形、組立等の製造が煩雑なことから、低コスト化を図ることが望まれている
【０００４】
本発明は、このような課題を解決するために成されたものであり、低コスト化が図られる移動体繰出装置を提供することを目的とする。
【課題を解決するための手段】
【０００５】
本発明による移動体繰出装置は、本体筒と、この本体筒内に配置され本体筒に同期回転可能に係合されると共にその内周面に雌螺子が形成された螺子筒と、その外周面に雌螺子に螺合する雄螺子が形成された棒状の移動体と、本体筒の後端側に相対回転可能に連結されると共に、移動体を同期回転可能且つ軸線方向に摺動可能に係合する係合部を備える操作筒と、本体筒側と操作筒側に各々設けられた一組のラチェット歯と、これらのラチェット歯同士が噛合するように付勢する弾性体と、を具備し、本体筒と操作筒の相対回転により移動体を順次繰り出す移動体繰出装置であって、螺子筒と本体筒側のラチェット歯と弾性体とを、一体成形品とした筒状体を備えたことを特徴としている。
【０００６】
このような移動体繰出装置によれば、従来、本体筒側の螺合機構と圧縮コイルバネとの間に一組のラチェット歯が配置される構成のため、螺合機構側と圧縮コイルバネ側とを分離する必要があり三部品（複数部品）が必要とされていたが、螺子筒と本体筒側のラチェット歯と弾性体とが一体成形品とされているため、部品点数が減少されると共に、成形、組立等の製造が簡易とされる。
【０００７】
ここで、上記作用を効果的に奏する具体的な構成としては、一組のラチェット歯は、軸線方向に対向して配置され、弾性体は、ラチェット歯同士が噛合するように付勢する圧縮バネであり、筒状体は、樹脂による一体成形品であり、その先端部に螺子筒を有すると共に、その後端部に本体筒側のラチェット歯を有し、且つ、これらの先端部と後端部とを接続する圧縮バネを有して一体化され、その内側に移動体が通るようにして本体筒と操作筒に挟み付けられて配置される構成が挙げられる。
【０００８】
また、操作筒側のラチェット歯としては、具体的には、例えば、操作筒の先端面に設けられる構成が挙げられる。
【０００９】
また、操作筒の係合部は、操作筒の内周面に、放射状に内側に突出するように複数設けられ、この操作筒の係合部の先端部が、操作筒側のラチェット歯とされていると、この操作筒側の係合部が、回り止めとラチェット歯との両機能を兼用とされ、操作筒側のラチェット歯を別途設けることが不要とされる。
【発明の効果】
【００１０】
このように本発明による移動体繰出装置によれば、部品点数が減少されると共に、成形、組立等の製造が簡易とされ、低コスト化を図ることが可能となる。
【発明を実施するための最良の形態】
【００１１】
以下、本発明による移動体繰出装置の好適な実施形態について図１〜図１８を参照しながら説明する。なお、各図において、同一の要素には同一符号を付し、重複する説明は省略する。図１〜図９は本発明の第一実施形態を、図１０〜図１８は本発明の第二実施形態を各々示すもので、図１及び図２は、本発明の第一実施形態に係る移動体繰出装置が適用された液状充填物押出容器を示す各図、図３〜図６は、筒状体の各図、図７〜図９は、操作筒の各図であり、本実施形態の液状充填物押出容器は、液状充填物を収容すると共に適宜使用者により押し出し可能とされるもので、液状充填物としては、リップ、リップグロス、アイカラー、アイライナー、美容液、洗浄液、ネールエナメル、ネールケア溶液、ネールリムーバー、マスカラ、アンチエイジング、ヘアーカラー、頭髪用化粧料、オーラルケア、マッサージオイル、角栓ゆるめ液、マーキングペン等の筆記用具等のインク、液状の医薬品、泥状物、靴墨等の液状充填物が用いられる。
【００１２】
図１及び図２に示すように、液状充填物押出容器１００は、本体筒１と、この本体筒１の後端部に相対回転自在に設けられる操作筒２と、本体筒１及び操作筒２内に収容されると共に先端部にピストン３を備え本体筒１及び操作筒２が相対回転されると本体筒１の先端側に移動する棒状の移動体４と、相対回転に同期して一方向の回転を許容し移動体４を本体筒１の先端側へのみ移動させるラチェット機構５と、本体筒１内に画成され液状充填物Ｌが充填される充填領域６と、本体筒１の先端部に設けられ、移動体４の本体筒１先端側への移動により押し出される液状充填物Ｌを塗布するためのブラシ（塗布体）７と、を備えている。
【００１３】
本体筒１は円筒状に構成され、先端側に外径が小径とされる先端筒部１ａを備えると共に、後端側に内径が大径とされる後端筒部１ｂを備えている。この本体筒１の内周面には、後端筒部１ｂの段部（傾斜段部）１ｄ寄りの位置に、後述の筒状体８を同期回転可能（回転不能）に連結するための突条１ｅが、軸線方向に所定長延びると共に円周方向の等配位置に複数個形成され、さらに、本体筒１後端面寄りの位置に、操作筒２を相対回転自在に装着するための環状溝部１ｆが形成されている。
【００１４】
操作筒２は、図７〜図９に示すように、有底円筒状に構成され、先端側に外径が小径とされる先端筒部２ａを備え、この先端筒部２ａの外周面に、本体筒１に装着するための環状突部２ｂを備えている。
【００１５】
この操作筒２には、その底部中央に、先端側に向かうように軸体２ｄが立設されている。この軸体２ｄは、図７に示すように、横断面略十字状に構成され、この十字の先端部であり階段状の先端の突条（操作筒２の係合部）２ｆが、移動体４の同期回転機構（回り止め機構）を構成する回り止めとされている。
【００１６】
また、操作筒２は、図７〜図９に示すように、先端筒部２ａの先端面で周方向に沿って略等間隔の位置に、先端側に突出しラチェット機構を構成する複数のラチェット歯２ｅを備えている。
【００１７】
この操作筒２は、図１及び図２に示すように、その先端筒部２ａが本体筒１の後端筒部１ｂ内に挿入され、先端筒部２ａの段部２ｃが本体筒１の後端面に突き当てられ、その環状突部２ｂが本体筒１の環状溝部１ｆに係合することで、本体筒１と相対回転自在に連結されている。
【００１８】
移動体４は、円筒体の略全長に亘って外周面に対向して形成された二平面部（不図示）を備えると共に、この移動体４の外周面の二平面部を除く円弧面に、軸線方向に延び螺合機構を構成する雄螺子４ｂを備えている。この移動体４には、その内周面で周方向に沿って略等間隔の位置に、放射状に内側に突出するように配置され軸線方向に延びる複数の突条４ｄが、同期回転機構を構成する回り止めとして設けられている。また、この移動体４の先端部には、本体筒１の充填領域６を水密に摺動するピストン３が装着されている。
【００１９】
そして、移動体４は、図１に示すように、操作筒２の軸体２ｄに外挿され、その周方向の突条４ｄ，４ｄの先端間に、略十字状を成す軸体２ｄの先端の突条２ｆが進入し挟まれるように位置することで、操作筒２（軸体２ｄ）に対して同期回転可能（回転不能）且つ軸線方向に摺動可能に係合され、これにより移動体４の同期回転機構が構成されている。なお、移動体４は、外周面が円形で当該外周面に雄螺子４ｂを有する構成でも良い。
【００２０】
ここで、特に本実施形態にあっては、螺合機構及びラチェット機構を構成する本体筒１側の部品として筒状体８を備えている。この筒状体８は、樹脂により一体成形された射出成形品であり、図３〜図６に示すように、略円筒状に構成され、その内外径が、図１及び図２に示すように、操作筒２の先端筒部２ａの内外径と略同じとされている。
【００２１】
筒状体８は、図３〜図６に示すように、その先端部に螺子筒８ａを有すると共に、その後端部にラチェット歯８ｅを有し、且つ、これらの先端部と後端部とを接続する弾性体としての圧縮バネ８ｂを有して一体化されている。
【００２２】
螺子筒８ａは、その外周面で周方向に沿って略等間隔の位置に、軸線方向に延び本体筒１に同期回転可能に係合するための突条（螺子筒８ａの係合部）８ｃを複数備えると共に、その内周面に、軸線方向に延び移動体４の螺合機構を構成する雌螺子８ｄを備えている。
【００２３】
ラチェット歯８ｅは、後端部の後端面で周方向に沿って略等間隔の位置に、後方に突出するように複数が配設されている。
【００２４】
この螺子筒８ａとラチェット歯８ｅとの間の圧縮バネ８ｂは、周面に、螺旋状スリット８ｆ（図６参照）及び環状スリット８ｇ（図５参照）を連続的に交互に備えるもので、これらのスリット８ｆ，８ｇにより、押圧されるラチェット歯８ｅをその押圧力に抗するように付勢する。この圧縮バネ８ｂ及びラチェット歯８ｅにより本体筒１側のラチェット機構が構成されている。
【００２５】
これらの螺子筒８ａ、圧縮バネ８ｂ及びラチェット歯８ｅを備える筒状体８は、図１及び図２に示すように、その内側に移動体４が通るようにして、本体筒１の内周面の段部（傾斜段部）１ｄと操作筒２の先端筒部２ａの先端面との間に挟み付けられて配置され、その螺子筒８ａの外周面の突条８ｃが、本体筒１の後端筒部１ｂの内周面の突条１ｅ，１ｅ間に進入し係合することで、本体筒１に同期回転可能に連結されると共に、その後端部のラチェット歯８ｅが、圧縮バネ８ｂの付勢力により押圧されて操作筒２のラチェット歯２ｅと噛合状態とされ、さらに、その螺子筒８ａの内周面の雌螺子８ｄが、移動体４の外周面の雄螺子４ｂと螺合状態とされている。
【００２６】
そして、移動体４の雄螺子４ｂと筒状体８の雌螺子８ｄで螺合機構が構成され、軸体２ｄの回り止め（先端の突条）２ｆと移動体４の回り止め（突条）４ｄで同期回転機構（回り止め機構）が構成され、筒状体８のラチェット歯８ｅと操作筒２のラチェット歯２ｅと圧縮バネ８ｂで一方向（移動体４の前進方向）の回転を許容するラチェット機構５が構成され、これらの螺合機構、同期回転機構及びラチェット機構５により、移動体繰出装置１０が構成されている。
【００２７】
さらに、本体筒１は、その先端側に、略円筒状に構成されその先端にパイプ部１１ａを有するパイプ部材１１と、先細りの略円筒状に構成されるブラシホルダ１２と、ブラシの各々の後端部を束ねて溶着し纏めたブラシ７と、を備えている。パイプ部材１１は、その後端部が本体筒１の先端筒部１ａに内挿されて装着され、図１に示すように、その後方側でピストン３迄の間に、液状充填物Ｌが充填される充填領域６を画成し、この充填領域６からの液状充填物Ｌをブラシ７に供給（吐出）する。なお、充填領域６には、液状充填物Ｌを撹拌するための球９が配置されている。
【００２８】
ブラシ７は、その先端部がブラシホルダ１２の先端から突出するように当該ブラシホルダ１２に内挿されて固着され、このブラシ７を備えるブラシホルダ１２は、その後端部が、本体筒１の先端筒部１ａに内挿されると共にパイプ部材１１に外挿され当該パイプ部材１１に装着されている。この状態で、パイプ部材１１は、そのパイプ部１１ａがブラシ７の途中迄挿入されていると共に、パイプ部１１ａの先端がブラシホルダ１２の先端面近くに位置する状態とされている。これらのブラシ７及びブラシホルダ１２は、図１に示すように、本体筒１の先端筒部１ａに着脱自在に装着されるキャップ１４に覆われ保護されている。
【００２９】
このような構成を有する液状充填物押出容器１００にあっては、使用者が本体筒１と操作筒２とを相対回転すると、一組のラチェット歯２ｅ，８ｅも同期して相対回転し、ラチェット機構５により使用者にはラチェット歯２ｅ，８ｅ同士が噛合する度に抵抗感が与えられ、移動体４は、移動体繰出装置１０により、先端側に順次繰り出され、この繰り出される移動体４の先端のピストン３により、充填領域６の液状充填物Ｌは、先端側に順次押し出されパイプ部材１１を介してブラシ７に吐出されて使用に供される。
【００３０】
このような液状充填物押出容器１００を構成する移動体繰出装置１０によれば、螺子筒と本体筒側のラチェット歯と弾性体とを一体成形品とした筒状体８が用いられている、すなわち、その先端部に本体筒１側の螺合機構を構成する螺子筒８ａを有すると共に、その後端部に本体筒１側のラチェット歯８ｅを有し、且つ、これらの先端部８ａと後端部８ｅとを接続する圧縮バネ８ｂを有して樹脂により一体化されている筒状体８が用いられているため、部品点数が減少されていると共に、成形、組立等の製造が簡易とされている。従って、移動体繰出装置１０の低コスト化が図られている。
【００３１】
なお、従来の特開２０００−２６２３２４号公報に記載の装置にあっては、本体筒側の螺合機構と圧縮コイルバネとの間に一組のラチェット歯が配置される構成のため、螺合機構側と圧縮コイルバネ側とを分離する必要があり三部品（複数部品）が必要で、部品点数が多いと共に成形、組立等の製造が煩雑であったが、本実施形態では、このような問題が上記のように解消されている。
【００３２】
また、本実施形態の移動体繰出装置１０においては、操作筒２側の回り止め（先端の突条）２ｆと、本体筒１側の螺合機構（筒状体８の雌螺子８ｄ）、ラチェット機構５とが、軸線方向（移動体４の進行方向）に直交する方向において重なる構成のため、特開２０００−２６２３２４号公報に記載の移動体繰出装置に比して、全長が短くされコンパクト化が図られる、又は、全長を同じとすれば液状充填物の容量の増大が図られている。
【００３３】
なお、本実施形態にあっては、液状充填物押出容器１００の先端に装着される塗布体をブラシ７としているが、例えば、スポンジ、突起群、多孔体、単なる単孔等であっても良い。
【００３４】
図１０及び図１１は、本発明の第二実施形態に係る移動体繰出装置が適用された液状充填物押出容器を示す各図、図１２〜図１４は、筒状体の各図、図１５〜図１８は、操作筒の各図である。
【００３５】
図１０及び図１１に示すように、この第二実施形態の移動体繰出装置２０を備えた液状充填物押出容器２００は、特開２０００−２６２３２４号公報に記載の容器と同様に、液状充填物Ｌが充填される充填領域２６を内部に備える円筒状の本体筒２１と、図１０、図１１、図１５〜図１８に示すように、その外周面に設けられる環状突部２２ｂが、本体筒２１の後端筒部２１ｂの環状溝部２１ｆに係合することで本体筒２１の後端部に相対回転自在に設けられると共に、その内周面の周方向に沿って略等間隔の位置に軸線方向に延在し、移動体２４の同期回転機構（回り止め機構）を構成する回り止めとしての突条（操作筒２２の係合部）２２ｆが、放射状に内側に突出するように複数形成された有底円筒状の操作筒２２と、図１０及び図１１に示すように、操作筒２２及び本体筒２１に収容され、円柱体の略全長に亘って外周面に対向して形成された二平面部（不図示）を備え、この外周面の二平面部を除く円弧面に、螺合機構を構成する雄螺子２４ｂが軸線方向に延びるように形成されると共に、その対向する円弧面に軸線方向に延在し、操作筒２２の回り止めとしての突条２２ｆが進入し係合する回り止めとしての凹設溝２４ｄが形成され、操作筒２２（突条２２ｆ）に対して同期回転可能（回転不能）且つ軸線方向に摺動可能に係合された移動体２４と、を具備している。これらの本体筒２１、操作筒２２及び移動体２４は、特開２０００−２６２３２４号公報に記載のものと同様な構造である。なお、本体筒２１の先端部には、第一実施形態と略同様な機能を有するパイプ部材３１、ブラシホルダ３２及びブラシ１７が装着されている。
【００３６】
ここで、この第二実施形態の移動体繰出装置２０が、特開２０００−２６２３２４号公報に記載の装置と違う点は、特開２０００−２６２３２４号公報に記載の装置でいう以下の三体、すなわち、本体筒１側の螺合機構を構成すると共にラチェット歯の一方を備える第一の筒状体と、ラチェット歯の他方を備える第二の筒状体と、第一、第二の筒状体のラチェット歯同士が噛合するように第二の筒状体を第一の筒状体に向かって付勢する圧縮コイルバネとの三体に代えて、これらの機能を有し、樹脂により一体成形された射出成形品である筒状体２８を用いた点である。
【００３７】
筒状体２８は、図１２〜図１４に示すように、その基本構成が第一実施形態の筒状体８と同様とされているが、弾性体としての圧縮バネ２８ｂ及び後端部のラチェット歯２８ｅの内外径が、図１０及び図１１に示すように、操作筒２２の突条２２ｆの内外径と略同じとされる一方で、筒状体２８を本体筒２１に係合可能とすべく、図１０〜図１４に示すように、先端部の螺子筒２８ａの外径が、圧縮バネ２８ｂ及びラチェット歯２８ｅの外径に比して大径とされている。なお、螺子筒２８の雌螺子２８ｄを囲繞する位置で先端面から凹設される環状溝部２８ｇは、螺子筒２８ａの肉厚と圧縮バネ２８ｂの肉厚の均等化を図り、大きい肉厚差に起因して生じる虞のある肉ひけ（ボイドを含む）の発生を抑止するためのものである。
【００３８】
この筒状体２８は、図１０に示すように、その内側に移動体２４が通るようにして、本体筒２１の内周面に形成された段部（傾斜段部）２１ｄと操作筒２２の突条２２ｆの先端部との間に挟み付けられて配置され、その螺子筒２８ａの外周面の突条（螺子筒２８ａの係合部）２８ｃが、本体筒２１の後端筒部２１ｂの内周面に形成された突条２１ｅ，２１ｅ間に進入し係合することで、本体筒２１に同期回転可能（回転不能）に連結されると共に、その後端部のラチェット歯２８ｅが、圧縮バネ２８ｂの付勢力により押圧され、操作筒２２の突条２２ｆの先端部がラチェット歯２２ｅとされて噛合状態とされ、さらに、その螺子筒２８ａの内周面の雌螺子２８ｄが、移動体２４の外周面の雄螺子２４ｂと螺合状態とされている。
【００３９】
そして、移動体２４の雄螺子２４ｂと筒状体２８の雌螺子２８ｄで螺合機構が構成され、操作筒２２の回り止め（突条）２２ｆと移動体２４の回り止め（凹設溝）２４ｄで同期回転機構（回り止め機構）が構成され、筒状体２８のラチェット歯２８ｅと操作筒２２の突条２２ｆの先端部のラチェット歯２２ｅと圧縮バネ２８ｂでラチェット機構２５が構成され、これらの螺合機構、同期回転機構及びラチェット機構２５により、移動体繰出装置２０が構成されている。
【００４０】
このように構成された第二実施形態の移動体繰出装置２０にあっても、第一実施形態の移動体繰出装置１０と同様な効果を得ることができるというのはいうまでもない。
【００４１】
加えて、この第二実施形態にあっては、操作筒２２の移動体２４に対する回り止めである突条２２ｆのその先端部が、ラチェット歯２２ｅとして兼用とされている（特開２０００−２６２３２４号公報に記載の突条の形状を変更すること無くそのまま用いている）ため、操作筒２２側にラチェット歯を別途設けることが不要とされ、一層低コスト化が図られている。なお、ラチェット歯２２ｅを構成する突条２２ｆの先端部を、第一実施形態のラチェット歯２ｅのように、傾斜するように構成しても勿論良い。
【００４２】
以上、本発明をその実施形態に基づき具体的に説明したが、本発明は上記実施形態に限定されるものではなく、例えば、上記実施形態においては、移動体繰出装置１０，２０により押し出されるものを、特に好ましいとして、液状充填物としているが、例えば固形化粧料、半固形状化粧料、ジェル状化粧料等とすることも可能である。
【００４３】
また、上記実施形態の雌螺子、雄螺子は、これらと同様な機能を有する螺子状のものであれば良い。
【図面の簡単な説明】
【００４４】
【図１】本発明の第一実施形態に係る移動体繰出装置が適用された液状充填物押出容器を示す縦断面図であり、移動体を繰り出す前の状態図である。
【図２】本発明の第一実施形態に係る移動体繰出装置が適用された液状充填物押出容器を示す縦断面図であり、移動体を前進限に繰り出した状態図である。
【図３】図１及び図２中の筒状体を示す前方斜視図である。
【図４】図３に示す筒状体の後方斜視図である。
【図５】図３及び図４に示す筒状体の側面図である。
【図６】図５のVI−VI矢視図である。
【図７】図１及び図２中の操作筒を示す前方斜視図である。
【図８】図７に示す操作筒の側面図である。
【図９】図８のIX−IX矢視図である。
【図１０】本発明の第二実施形態に係る移動体繰出装置が適用された液状充填物押出容器を示す縦断面図であり、移動体を繰り出す前の状態図である。
【図１１】本発明の第二実施形態に係る移動体繰出装置が適用された液状充填物押出容器を示す縦断面図であり、移動体を前進限に繰り出した状態図である。
【図１２】図１０及び図１１中の筒状体を示す後方斜視図である。
【図１３】図１２に示す筒状体の側面図である。
【図１４】図１３のXIV−XIV矢視図である。
【図１５】図１０及び図１１中の操作筒を示す前方斜視図である。
【図１６】図１５に示す操作筒の正面図である。
【図１７】図１５及び図１６に示す操作筒の側面図である。
【図１８】図１７のXVIII−XVIII矢視図である。
【符号の説明】
【００４５】
１，２１…本体筒、２，２２…操作筒、２ｅ，２２ｅ…操作筒側のラチェット歯、２ｆ，２２ｆ…操作筒の突条（操作筒の係合部）、４，２４…移動体、４ｂ，２４ｂ…移動体の雄螺子、８，２８…筒状体、８ａ，２８ａ…螺子筒、８ｂ，２８ｂ…圧縮バネ（弾性体）、８ｄ，２８ｄ…螺子筒の雌螺子、８ｅ，２８ｅ…本体筒側のラチェット歯、１０，２０…移動体繰出装置、１００，２００…液状充填物押出容器。
【図１】
2005230194.tif 000003
【図２】
2005230194.tif 000004
【図３】
2005230194.tif 000005
【図４】
2005230194.tif 000006
【図５】
2005230194.tif 000007
【図６】
2005230194.tif 000008
【図７】
2005230194.tif 000009
【図８】
2005230194.tif 000010
【図９】
2005230194.tif 000011
【図１０】
2005230194.tif 000012
【図１１】
2005230194.tif 000013
【図１２】
2005230194.tif 000014
【図１３】
2005230194.tif 000015
【図１４】
2005230194.tif 000016
【図１５】
2005230194.tif 000017
【図１６】
2005230194.tif 000018
【図１７】
2005230194.tif 000019
【図１８】
2005230194.tif 000020